(57)【要約】【課題】  優れた防水性と加工性を有すると共に、長い距離にも使用できる発光ダイオードからなる軟質ケーブルライトを提供する。【解決手段】  表面実装タイプの発光ダイオードと二本以上のリードとを備える軟質ケーブルライトであって、  リードの外側に帯状体が被覆されると共に、帯状体におけるリード同士の間に所定の間隔で方形の貫通孔が形成され、該貫通孔の内部に発光ダイオードが嵌入されると共に、発光ダイオードの端子は夫々リードと連結し、更に、帯状体と発光ダイオードの外側に透明又は半透明の軟質のカバーが設けられることを特徴とする。【選択図】図１
0003102290.tif 000002
【実用新案登録請求の範囲】
【請求項１】
表面実装タイプの発光ダイオードと二本以上のリードとを備える軟質ケーブルライトであって、
リードの外側に帯状体が被覆されると共に、帯状体におけるリード同士の間に所定の間隔で方形の貫通孔が形成され、該貫通孔の内部に発光ダイオードが嵌入されると共に、発光ダイオードの端子は夫々リードと連結し、更に、帯状体と発光ダイオードの外側に透明又は半透明の軟質のカバーが設けられることを特徴とする軟質ケーブルライト。
【請求項２】
複数の軟質ケーブルライトはプラグピンがリードに挿入され、連結箇所の外側にプラスチックパイプが設けられると共に、連結箇所に防水ゲルが塗布されることにより連結することを特徴とする軟質ケーブルライト。
【請求項３】
帯状体にリードと平行するスリットが形成されると共に、該スリットの内部に発光ダイオードと直列する抵抗器が設けられることを特徴とする請求項１又は２に記載の軟質ケーブルライト。
【考案の詳細な説明】
【技術分野】
【０００１】
本考案は、特に優れた防水性と加工性を有すると共に、長い距離にも使用できる発光ダイオード（Light  Emitting  Diode，LED）からなる軟質ケーブルライトに関するものである。
【背景技術】
【０００２】
発光ダイオードは高輝度と省エネの特性を有するので、装飾及び広告製品用として広く使用されている。又、従来の軟質ケーブルライトは複数の発光ダイオードを軟質の帯状プラスチック材に設置した湾曲可能の装飾灯具である。しかし、この軟質ケーブルライトを長い距離に使用する場合、末端における発光ダイオードの輝度が前端より低くなってしまう問題があった。
【０００３】
前記従来の軟質ケーブルライトには、例えば１９８７年５月１４日に提出された米国特許第４７６１７２０号の「装飾用帯状ライト」があり、それは複数の発光ダイオードを軟質のケーブルに並列状に配置すると共に、エポキシ樹脂によって発光ダイオード及びケーブルを被覆することにより、防水効果を達成しているが、このものは長い距離においての使用方法や連結方法などが開示されていないと共に、エポキシ樹脂の被覆方法は製造コストが高いという問題も有している。
【０００４】
１９９３年１１月１５日に提出された米国特許第６３２３８３２号の「彩色展示装置」には発光ダイオードによって帯状ライトの硬さを決定する湾曲可能な発光ダイオード帯状ライトが開示されるが、この帯状ライトのケーブルはアルミ又は金などの材料からなるので、製造コストが非常に高く、且つ詳しい帯状ライトの連結方法が開示されないという問題を有する。
【０００５】
１９９４年５月１３日に提出された米国特許第５５５９６８１号の「接着剤を有する湾曲可能の組立式灯体」には１０００フィート以上連結できる、裁断可能な発光ダイオード灯体が開示されるが、該灯体の軟質ケーブルは複雑な複数層材料からなるので、製造コストが高いという問題を有する。
【０００６】
１９９２年１０月２７日に提出された米国特許第５３２１５９３号の「発光ダイオードの帯状ライトシステム」にはPVCプレスによって湾曲可能な帯状体を製造し、発光ダイオードの端子を帯状体の皮に刺し込むと共に、帯状体内の導体と接触させることにより、電気の接続を行う帯状ライトが開示されるが、該発光ダイオードは帯状体の表面に設置されるので、防水性や包装、組立の利便性を改善する必要があり、更に、そのものには帯状ライトの連結方法が開示されていないと共に、湾曲可能性を持つために帯状体内の導体がシート状導体を使用するので、長距離に使用することが限られているという問題を有する。
【０００７】
１９９８年１２月１３日及び１９９９年７月２７日に夫々提出された米国特許第５８４８８３７及び５９２７８４５号の「全体被覆の発光ダイオードケーブルライト」と、２０００年９月５日に提出された米国特許第６１１３２４８号の「全体被覆の灯体及びそのコネクタを加工する方法」には表面実装タイプ（Surface-Mount  Device，SMD）の発光ダイオードケーブルライトの製品及び加工方法が開示されているが、このものは表面実装タイプの発光ダイオードをプリント回路（Printed  Circuit）に予め設置すると共に、該プリント回路の外側にPVCなどの軟質のプラスチック材を被覆することであるが、該プリント回路は例えば銅、銀などの導電材質をエッチング、粘着、プレス手段によって絶縁体である帯状体に設けるので、エッチングの厚さと面積が限られると共に、製造コストも高い。更に、この発光ダイオードケーブルライトの使用距離も限られてしまう。
【考案の開示】
【考案が解決しようとする課題】
【０００８】
上述したように、前記発光ダイオードを使用する従来のケーブルライトは、長い距離に使用することができないと共に、製造コストも高いので、製造が簡単で製造コストの低い発光ダイオードケーブルライトが望まれている。
【０００９】
そこで、案出されたのが本考案であって、優れた防水性と加工性を有すると共に、長い距離にも使用できる発光ダイオードからなる軟質ケーブルライトを提供することを目的としている。
【課題を解決するための手段】
【００１０】
本願の請求項１の考案は、表面実装タイプの発光ダイオードと二本以上のリードとを備える軟質ケーブルライトであって、
リードの外側に帯状体が被覆されると共に、帯状体におけるリード同士の間に所定の間隔で方形の貫通孔が形成され、該貫通孔の内部に発光ダイオードが嵌入されると共に、発光ダイオードの端子は夫々リードと連結し、更に、帯状体と発光ダイオードの外側に透明又は半透明の軟質のカバーが設けられることを特徴とする軟質ケーブルライト及び、
本願の請求項２の考案は、複数の軟質ケーブルライトはプラグピンがリードに挿入され、連結箇所の外側にプラスチックパイプが設けられると共に、連結箇所に防水ゲルが塗布されることにより連結することを特徴とする軟質ケーブルライト及び、
本願の請求項３の考案は、帯状体にリードと平行するスリットが形成されると共に、該スリットの内部に発光ダイオードと直列する抵抗器が設けられることを特徴とする請求項１又は２に記載の軟質ケーブルライト、
を提供する。
【考案の効果】
【００１１】
本考案に係る軟質ケーブルライトによれば、二本以上のリードを有する軟質の帯状体に複数の方形の貫通孔が形成されると共に、表面実装タイプの発光ダイオードが貫通孔に嵌入することにより、発光ダイオードとリードを電気連結し、更に、帯状体の外側に透明又は半透明の軟質のカバーを被覆することにより、優れた防水効果を達成できる。
【考案を実施するための最良の形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係る軟質ケーブルライトの第一実施例を示す一部分解斜視図であり、図２は本考案に係る軟質ケーブルライトの裁断前状態を示す斜視図であり、図３は本考案に係る軟質ケーブルライトの斜視図であり、図４は本考案に係る軟質ケーブルライトにおける第一段の軟質ケーブルライトと出力コネクタの連結状態を示す分解斜視図であり、図５は本考案に係る軟質ケーブルライトにおける第一段の軟質ケーブルライトと第二段の軟質ケーブルライトの連結状態を示す分解斜視図であり、図６は本考案に係る軟質ケーブルライトの第二実施例を示す一部分解斜視図であり、図７は本考案に係る軟質ケーブルライトの第三実施例を示す一部分解斜視図である。
【００１４】
図１に示すように、本考案に係る軟質ケーブルライトの第一実施例はプレスによって軟質のプラスチック材から二本のリード（２a）（２b）を被覆することからなる平たい帯状体（３）を有し、その断面積は６mm×２mmであり、リード（２a）（２b）は直径が約０.１２７〜０.２５４mmである複数本の銅線から絞ってなり、絞った断面積の総合が１.０mm２以上となる。リード（２a）（２b）同士の間に例えば４mmの距離が設けられることにより、表面実装タイプの発光ダイオードを設置する。帯状体（３）におけるリード（２a）（２b）同士の間に間隔の方形の貫通孔（４１）（４２）（４３）が形成されることにより、表面実装タイプの発光ダイオード（４a）（４b）（４c）を貫通孔（４１）（４２）（４３）に嵌入すると共に、リード（２a）（２b）と電気連結することができる。その連結手段は溶接又は発光ダイオード（４a）（４b）（４c）の端子を帯状体（３）の内に刺し込むことにより、発光ダイオード（４a）（４b）（４c）の端子をリード（２a）（２b）と連結する。
【００１５】
又、前記帯状体（３）をプレスによって加工し、帯状体（３）の外側に透明又は半透明の軟質のカバー（５）が設けられることにより、平たい軟質のケーブルライトとなる。
【００１６】
図２に示すように、本考案に係る軟質ケーブルライトの発光ダイオード（４a）（４b）（４c）は並列のように夫々リード（２a）（２b）と連結するので、必要の使用長さに対して鋏によって任意的に裁断することができる。
【００１７】
本考案に係る軟質ケーブルライトは製造簡単、低コスト、且つ軟質のプラスチック材から発光ダイオードとリードを被覆することにより完全防水を達成することができる。更に、本考案の発光ダイオードは帯状体に嵌入すると共に、この表面実装タイプ発光ダイオードの寸法は従来の発光ダイオードより小さいので、優れた使用及び装飾効果を達成できる。
【００１８】
又、図３に示すように、本考案に係る軟質ケーブルライトは複数段の軟質ケーブルライト（６１）（６２）を有し、第一段の軟質ケーブルライト（６１）のリード（２a）（２b）は夫々プラグ（１０）、コード（１０１）、電圧転換器（９）、出力コード（９０１）及び出力コネクタ（９０２）と連結する。該軟質ケーブルライト（６１）と出力コネクタの連結手段は二本のプラグピン（７１a）（７１b）によって行い、該プラグピン（７１a）（７１b）の一端にはリード（２a）（２b）に挿入する錐状ピンが設けられると共に、他端には出力コネクタ（９０２）の挿入孔に挿入するピンが設けられ、図４に示すように、プラグピン（７１a）（７１b）とリード（２a）（２b）及び出力コネクタ（９０２）との連結箇所に防水ゲルを塗布することにより防水処理を行う。又、前記電圧転換器（９）は家庭用電圧を２.１〜４.０ボルトの発光ダイオード用電圧に転換するものである。前記プラグピン（７１a）（７１b）の中段にプラスチック材からなるブロック（１１a）が設けられることにより、連結操作を便利とする。
【００１９】
図３及び図５に示すように、第一段の軟質ケーブルライト（６１）と第二段の軟質ケーブルライト（６２）の連結方法は両端に錐状ピンを有するプラグピン（７２a）（７２b）を夫々第一段の軟質ケーブルライト（６１）のリード（２a）（２b）と第二段の軟質ケーブルライト（６２）のリード（２a）（２b）に挿入した後、その連結箇所の外側にプラスチックパイプ（８２）を被覆すると共に、防水ゲルを塗布する。
【００２０】
図６に示すように、本考案に係わる軟質ケーブルライトの第二実施例は帯状体（３）にリード（２a）（２b）と平行するスリット（３０１）が形成されると共に、該スリット（３０１）の内に抵抗器（１２）が設けられる。前記表面実装タイプの発光ダイオード（４a）（４b）（４c）（４d）は抵抗器（１２）と直列して設けられ、各発光ダイオード（４a）（４b）（４c）（４d）は並列のようにリード（２a）（２b）と連結される。前記発光ダイオード（４a）（４b）（４c）（４c）は夫々貫通孔（４１）（４２）（４３）（４４）の内に嵌入され、抵抗器（１２）をスリット（３０１）の内に嵌入した後、プレス加工によって帯状体（３）の外側に透明又は半透明の軟質のカバー（５）が設けられる。
【００２１】
図７に示すように、本考案に係る軟質ケーブルライトの第三実施例は帯状体（３）の内部に三本のリード（２a）（２b）（２c）が設けられると共に、帯状体（３）における各リード（２a）（２b）（２c）の間に抵抗器（１２）（１２１）を収容するためのスリット（３０１a）（３０１b）が形成され、又、リード（２a）（２b）（２c）の間に対応する帯状体（３）に発光ダイオード（４a）（４b）（４c）（４d）（４a1）（４b1）（４c1）（４d1）を収容するための貫通孔（４１）（４２）（４３）（４４）（４１１）（４２１）（４３１）（４４１）が形成される。
【産業上の利用可能性】
【００２２】
本考案は上記の構成を有するので、二本以上のリードを有する軟質の帯状体に複数の方形の貫通孔が形成されると共に、表面実装タイプの発光ダイオードを貫通孔に嵌入することにより、発光ダイオードとリードを電気連結し、更に、帯状体の外側に透明又は半透明の軟質のカバーを被覆することにより、優れた防水効果を達成することができ、従って、製造簡単と低コストの目的を達成するだけでなく、優れた装飾効果と長い距離に使用することも達成できる。
【図面の簡単な説明】
【００２３】
【図１】本考案に係る軟質ケーブルライトの第一実施例を示す一部分解斜視図である。
【図２】本考案に係る軟質ケーブルライトの裁断前状態を示す斜視図である。
【図３】本考案に係る軟質ケーブルライトの斜視図である。
【図４】本考案に係る軟質ケーブルライトにおける第一段の軟質ケーブルライトと出力コネクタの連結状態を示す分解斜視図である。
【図５】本考案に係る軟質ケーブルライトにおける第一段の軟質ケーブルライトと第二段の軟質ケーブルライトの連結状態を示す分解斜視図である。
【図６】本考案に係る軟質ケーブルライトの第二実施例を示す一部分解斜視図である。
【図７】本考案に係る軟質ケーブルライトの第三実施例を示す一部分解斜視図である。
【符号の説明】
【００２４】
１０        プラグ
１０１      コード
１１a      ブロック
１２        抵抗器
１２１      抵抗器
２a        リード
２b        リード
２０        鋏
３          帯状体
３０１      スリット
３０１a    スリット
３０１b    スリット
４a        発光ダイオード
４b        発光ダイオード
４c        発光ダイオード
４d        発光ダイオード
４a１      発光ダイオード
４b１      発光ダイオード
４c１      発光ダイオード
４d１      発光ダイオード
４１        貫通孔
４１１      貫通孔
４２        貫通孔
４２１      貫通孔
４３        貫通孔
４３１      貫通孔
４４        貫通孔
４４１      貫通孔
５          カバー
６１        軟質ケーブルライト
６２        軟質ケーブルライト
７１a      プラグピン
７１b      プラグピン
８２        プラスチックパイプ
９          電圧転換器
９０１      出力コード
９０２      出力コネクタ
【図１】
0003102290.tif 000003
【図２】
0003102290.tif 000004
【図３】
0003102290.tif 000005
【図４】
0003102290.tif 000006
【図５】
0003102290.tif 000007
【図６】
0003102290.tif 000008
【図７】
0003102290.tif 000009
【手続補正書】
【提出日】平成16年2月18日(2004.2.18)
【手続補正１】
【補正対象書類名】実用新案登録請求の範囲
【補正対象項目名】全文
【補正方法】変更
【補正の内容】
【実用新案登録請求の範囲】
【請求項１】
表面実装タイプの発光ダイオードと二本以上のリードとを備える軟質ケーブルライトであって、
リードの外側に帯状体が被覆されると共に、帯状体におけるリード同士の間に所定の間隔で方形の貫通孔が形成され、該貫通孔の内部に発光ダイオードが嵌入されると共に、発光ダイオードの端子は夫々リードと連結し、更に、帯状体と発光ダイオードの外側に透明又は半透明の軟質のカバーが設けられることを特徴とする軟質ケーブルライト。
【請求項２】
複数の軟質ケーブルライトはプラグピンがリードに挿入され、連結箇所の外側にプラスチックパイプが設けられると共に、連結箇所に防水ゲルが塗布されることにより連結することを特徴とする請求項１に記載の軟質ケーブルライト。
【請求項３】
帯状体にリードと平行するスリットが形成されると共に、該スリットの内部に発光ダイオードと直列する抵抗器が設けられることを特徴とする請求項１又は２に記載の軟質ケーブルライト。
【手続補正２】
【補正対象書類名】明細書
【補正対象項目名】００１０
【補正方法】変更
【補正の内容】
【００１０】
本願の請求項１の考案は、表面実装タイプの発光ダイオードと二本以上のリードとを備える軟質ケーブルライトであって、
リードの外側に帯状体が被覆されると共に、帯状体におけるリード同士の間に所定の間隔で方形の貫通孔が形成され、該貫通孔の内部に発光ダイオードが嵌入されると共に、発光ダイオードの端子は夫々リードと連結し、更に、帯状体と発光ダイオードの外側に透明又は半透明の軟質のカバーが設けられることを特徴とする軟質ケーブルライト及び、
本願の請求項２の考案は、複数の軟質ケーブルライトはプラグピンがリードに挿入され、連結箇所の外側にプラスチックパイプが設けられると共に、連結箇所に防水ゲルが塗布されることにより連結することを特徴とする請求項１に記載の軟質ケーブルライト及び、
本願の請求項３の考案は、帯状体にリードと平行するスリットが形成されると共に、該スリットの内部に発光ダイオードと直列する抵抗器が設けられることを特徴とする請求項１又は２に記載の軟質ケーブルライト、
を提供する。